(57)【要約】【課題】  ハウジング内部である空間部に塵埃等が侵入するのを抑制することが可能なヘッドアップディスプレイ装置を提供する。【解決手段】  表示光Ｌを発する液晶表示素子２２と、表示光Ｌを反射させる凹面鏡４１と、液晶表示素子２２並びに凹面鏡４１を収納する空間部５１と表示光Ｌが通過する開口部５２とを有するハウジング５０とを備え、開口部５２には透光性カバー６０が配設されてなるとともに、透光性カバー６０の周縁部６１と周縁部６１を保持するようにハウジング５０に一体形成された保持部５５とは第１の両面テープ７１と第２の両面テープ７２とに分割された両面テープ７０を介して固定されてなり、凹面鏡４１によって反射された表示光Ｌをフロントガラス１３に投影して表示を行うヘッドアップディスプレイ装置において、第１の両面テープ７１の端部に窪み部７１ａを設け、第２の両面テープ７２の端部に窪み部７１ａ側に突出する突出部７２ａを設けた。【選択図】図６
2010105555.tif 000002
【特許請求の範囲】
【請求項１】
表示光を発する表示素子と、前記表示光を反射させる反射部材と、前記表示素子並びに前記反射部材を収納する空間部と前記反射部材によって反射された前記表示光が通過する開口部とを有するハウジングとを備え、
前記開口部には前記ハウジングとは別体にて形成された透光部材が配設されてなるとともに、前記透光部材の周縁部と前記周縁部を保持するように前記ハウジングに一体形成された保持部とは第１の接着部と第２の接着部とに分割された接着部材を介して固定されてなり、
前記反射部材によって反射された前記表示光を前記透光部材を通じて投影部材に投影して観察者に対し表示を行うヘッドアップディスプレイ装置において、
前記第１の接着部の端部と前記第２の接着部の端部のうちどちらか一方に窪み部を設け、他方に前記窪み部側に突出する突出部を設けたことを特徴とするヘッドアップディスプレイ装置
【発明の詳細な説明】
【技術分野】
【０００１】
本発明は、表示器（表示素子）が発した表示光を車両のフロントガラス等の投影部材に投影し、観察者に虚像表示を行うヘッドアップディスプレイ装置に関するものである。
【背景技術】
【０００２】
従来より、この種のヘッドアップディスプレイ装置にあっては、例えば下記特許文献１に記載のごとく、車両のフロントガラス（投影部材）に表示ユニット（表示装置）からの表示光を投射して虚像表示を行うものが知られている。
【０００３】
表示ユニットは、車両のインストルメントパネル（以下、インパネと言う）内部に取り付けられており、表示光を発する表示素子（液晶表示素子）と、表示素子が発した表示光を反射させる凹面鏡（反射部材）と、表示素子と凹面鏡とを収納する空間部と凹面鏡によって反射された表示光が通過する開口部とを有するハウジングとを備え、ハウジングの前面壁に形成された前記開口部にはハウジングとは別体にて形成された湾曲形状からなる透光性カバー（透光部材）が装着（配設）されてなり、凹面鏡によって反射された表示光を透光性カバーを通じて投影部材に投射（投影）して観察者に対し虚像表示を行うものである。
【特許文献１】特開２００４−１７７０８号公報
【０００４】
ところで、図７は前述した表示ユニット（表示装置）を上から見たときのハウジング及び透光性カバーの正面図、図８は図７のＸ−Ｘ断面図、図９はハウジングに両面テープを貼り付けた状態のハウジングの要部正面図、図１０は透光性カバーがハウジングに固定される前の透光性カバーとハウジングとの位置関係を示す図である。
【０００５】
図７中、１００はハウジングの前面壁、１１０は透光性カバーであり、ハウジングの前面壁１００は、その外形形状が略枠形状からなり、略矩形状からなる開口部１０１と、この開口部１０１と取り囲む略枠形状からなる前面壁部１０２とを備えてなり、図８に示すように前面壁部１０２の前面と透光性カバー１１０の前面とが同一面となるように、開口部１０１内に透光性カバー１１０が配設された構成となっている。
【０００６】
そして、この場合、前面壁部１０２は、その下端側において、透光性カバー１１０の周縁部１１１全周を保持するように、開口部１０１（つまり前面壁部１０２の内壁面）から内方に向けて突出形成された鍔形状からなる保持部１０３を備えてなる。このように前面壁部１０２の下端側に透光性カバー１１０の周縁部１１１を保持するような保持部１０３を一体形成したことで、前面壁部１０２の下端側には、開口部１０１の開口幅よりも幅狭となる幅狭開口部１０４が設けられることになる。なお、透光性カバー１１０が図２に示すごとく湾曲形状となっていることに伴い、透光性カバー１１０を保持する保持部１０３も湾曲していることになる。
【０００７】
一方、ハウジングの前面壁１００と透光性カバー１１０とは、両面テープ（接着部材）１２０を介して固着される構成となっており、この固着状態にて、前面壁部１０２の前面と透光性カバー１１０の前面とが同一面となるように、開口部１０１内に透光性カバー１１０が配設される。
【０００８】
具体的には、図８に示すように透光性カバー１１０の周縁部１１１と、この周縁部１１１を保持するようにハウジングの前面壁１００（前面壁部１０２）に一体形成された保持部１０３とが両面テープ１２０を介し固着（固定）されることで、透光性カバー１１０が開口部１０１内に埋設されるように透光性カバー１１０と前面壁部１０２とが固着されるようになっている。
【０００９】
また、透光性カバー１１０（周縁部１１１）と前面壁部１０２（保持部１０３）とを両面テープ１２０を介し固着するにあたっては、まず枠状に形成された保持部１０３上に両面テープ１２０を貼り付ける。このとき、両面テープ１２０としては、２つに分割されたコの字形状からなる第１、第２の両面テープ（第１、第２の接着部）１２１、１２２を採用し、例えば第１の両面テープ１２１が図９中、左方側となる保持部１０３箇所に貼り付けられ、第２の両面テープ１２２が、第１の両面テープ１２１の非接着領域となる図９中、右方側となる保持部１０３箇所に貼り付けられる。そして、第１、第２の両面テープ１２１、１２２の端面（端部）は両方ともフラットな面となっている。
【００１０】
なお、各両面テープ１２１、１２２を保持部１０３に沿って貼り付ける際に、両面テープ１２１、１２２は、何れもその一方側の剥離紙のみを剥がすことで現れる一方の接着面が保持部１０３の表面に接着される。つまり、図９において、詳細図示は省略するが、各両面テープ１２１、１２２の最表面には前記一方の接着面とは反対側に位置する他方の接着面を保護すべく、他方側の剥離紙が存在している状態であることは言うまでもない。
【００１１】
そして、両面テープ１２１、１２２からなる両面テープ１２０における前記他方側の剥離紙を剥がした状態の前記他方の接着面と透光性カバー１１０の周縁部１１１とが対向するように、前面壁１００と透光性カバー１１０とを位置合わせし（図１０参照）、この位置合わせ状態から透光性カバー１１０の前面と前面壁部１０２の前面とが同一面となるまで、透光性カバー１１０を前面壁１００側（矢印Ｆ方向）に平行移動させると、周縁部１１１が前記他方の接着面と接着され、これにより透光性カバー１１０がハウジングの前面壁１００に固着される構成となっていた。
【発明の開示】
【発明が解決しようとする課題】
【００１２】
上述したヘッドアップディスプレイ装置（表示ユニット）の場合、保持部１０３上にコの字形状の２つの両面テープ１２１、１２２を貼り付けて、両面テープ１２１、１２２を挟んで保持部１０３と周縁部１１１とが対向するようにハウジングの前面壁１００と透光性カバー１１０とを位置合わせし、その後、透光性カバー１１０を前面壁１００側に平行移動させることで、透光性カバー１１０前面と前面壁部１０２前面とが同一面となるように透光性カバー１１０が両面テープ１２１、１２２を介し前面壁１００（保持部１０３）に固着される構成となっている。
【００１３】
ところで、保持部１０３の表面にコの字形状の２つの両面テープ１２１、１２２を貼り付ける際、第１の両面テープ１２１と第２の両面テープ１２２との境界部分１３０（図９参照）にて、第１の両面テープ１２１の端面と第２の両面テープ１２２の端面とが重なるように保持部１０３の表面に貼り付けられると、透光性カバー１１０を保持部１０３に固着した際に、透光性カバー１１０前面と前面壁部１０２前面とが同一面とはならず、境界部分１３０に対応する周壁部１１１箇所及びその付近が、前面壁部１０２の前面から突出した状態となる。
【００１４】
かかる状態は、図８中、第２の両面テープ１２２と周縁部１１１との間に第１の両面テープ１２１をさらに介在（追加）させた状態を想定すれば、境界部分１３０に対応する周縁部１１１箇所が、第１の両面テープ１２１の厚さ分だけ、前面壁部１０２の前面から突出した状態となることは明らかである。
【００１５】
このように透光性カバー１１０の一部が前面壁１００から突出することは、表示ユニット自体の外観不良となる虞があり、好ましいものとは言えない。従って、前記外観不良を抑制すべく透光性カバー１１０前面と前面壁部１０２前面とが同一面となるようにするには、第１の両面テープ１２１の端面と第２の両面テープ１２２の端面とが重ならないように保持部１０３上に両面テープ１２１、１２２を貼り付ける必要がある。
【００１６】
ところが、第１の両面テープ１２１の端面と第２の両面テープ１２２の端面とが重ならないように保持部１０３上に各両面テープ１２１、１２２を貼り付けた場合であっても、透光性カバー１１０及び保持部１０３がともに湾曲形状を有し、且つ、両面テープ１２１、１２２の貼り付けられた保持部１０３（つまり両面テープ１２１、１２２における前記他方の接着面）と透光性カバー１１０との固着作業が作業者の手（指圧）で行われることから、例えば第２の両面テープ１２２に前記指圧による応力が作用し、かかる応力によって第２の両面テープ１２２の端面の位置が、前記固着作業後において、透光性カバー１１０を取り除いた状態の前面壁１００の正面図である図１１に示すように、図９に示す状態から若干、右方に変位してしまう場合があった。
【００１７】
かかる第２の両面テープ１２２の端面の位置変位は、例えば図７中、左側側端部に位置する透光性カバー１１０（周縁部１１１）箇所を起点とし、矢印Ｙ方向に沿って前記固着作業が実施される場合に、前記指圧による応力が第２の両面テープ１２２に作用し、例えば第２の両面テープ１２２の端面が僅かに矢印Ｙ方向に引っ張られることで生じる。すると、図１１に示すように第１の両面テープ１２１の端面と第２の両面テープ１２２の端面との間となる境界部分１３０には、接着領域の存在しない非接着領域である直線状の第１の微小クリアランス１４０が存在する。
【００１８】
一方、２つの両面テープ１２１、１２２を用いて透光性カバー１１０と前面壁１００とを固着するにあたって、透光性カバー１１０の外周面１１２が開口部１０１を構成する前面壁部１０２の前記内壁面とクリアランス無く当接するように、透光性カバー１１０と前面壁１００とを固着する構成とするのが好ましいが、透光性カバー１１０や前面壁１００における各部の寸法には寸法公差が存在するため、前記クリアランスを無くすことはできない。つまり、透光性カバー１１０の外周面１１２と前面壁部１０２の前記内壁面（つまり開口部１０１）との間には、第２の微少クリアランス１５０（図７、図８参照）が必然的に生じることになる。
【００１９】
すると、前述した境界部分１３０に着目した場合、表示素子や凹面鏡等を収納すべく、前記ハウジングに備えられる前記空間部は、両面テープ１２１、１２２の前記非接着領域となる第１の微小クリアランス１４０、及び透光性カバー１１０の外周壁１１２と前面壁部１０２の前記内壁面との間に形成される第２の微少クリアランス１５０を通じて前記表示ユニットの外部となる車室内の空間と連通することで、車室内の空間（例えばインパネ付近）に存在している塵埃等が、第２の微少クリアランス１５０並びに第１の微少クリアランス１４０を通って、ハウジング内部（前記空間部）に侵入し、表示素子や凹面鏡の表面に塵埃等が付着して、表示品位が低下するという問題があった。
そこで本発明は、前述の課題に対して対処するため、ハウジング内部である空間部に塵埃等が侵入するのを抑制することが可能なヘッドアップディスプレイ装置の提供を目的とするものである。
【課題を解決するための手段】
【００２０】
本発明は、表示光を発する表示素子と、前記表示光を反射させる反射部材と、前記表示素子並びに前記反射部材を収納する空間部と前記反射部材によって反射された前記表示光が通過する開口部とを有するハウジングとを備え、前記開口部には前記ハウジングとは別体にて形成された透光部材が配設されてなるとともに、前記透光部材の周縁部と前記周縁部を保持するように前記ハウジングに一体形成された保持部とは第１の接着部と第２の接着部とに分割された接着部材を介して固定されてなり、前記反射部材によって反射された前記表示光を前記透光部材を通じて投影部材に投影して観察者に対し表示を行うヘッドアップディスプレイ装置において、前記第１の接着部の端部と前記第２の接着部の端部のうちどちらか一方に窪み部を設け、他方に前記窪み部側に突出する突出部を設けたことを特徴とする。
【００２１】
本発明によれば、初期の目的を達成でき、ハウジング内部である空間部に塵埃等が侵入するのを抑制することが可能なヘッドアップディスプレイ装置を提供できる。
【発明を実施するための最良の形態】
【００２２】
以下、添付図面に基づいて、本発明を車両用のヘッドアップディスプレイ装置に適用した一実施形態を説明する。なお、図１〜図６は、本発明の実施形態を示すものであり、図１は本発明の実施形態によるヘッドアップディスプレイ装置の概略図、図２は同実施形態による表示装置の断面図、図３は図２中、矢印Ａ方向から見たときのハウジングと透光部材とを示す図、図４は図３のＢ−Ｂ断面図、図５は同実施形態によるハウジングに接着部材を貼り付けた状態のハウジングの正面図、図６は同実施形態によるハウジングと透光部材の固着作業後において、透光部材を取り除いた状態のハウジングの要部正面図である。
【００２３】
ヘッドアップディスプレイ装置は、図１に示すように車両１０のインパネ１１内部に配設された表示ユニットである表示装置１２が投射する表示光Ｌを投影部材である車両１０のフロントガラス１３で車両１０の運転者（観察者）１４の方向に反射させ、虚像Ｖの表示を行うものである。換言すれば、ヘッドアップディスプレイ装置は、表示装置１２の後述する液晶表示器から発せられる表示光Ｌをフロントガラス１３（前記投影部材）に照射（投射）し、この照射によって得られた表示像（虚像）Ｖを運転者１４に視認させるものである。これにより運転者１４は、虚像Ｖを風景と重畳させて観察することができる。
【００２４】
表示装置１２は、図２に示すように液晶表示器２０と、第１反射器３０と、第２反射器４０と、ハウジング５０とから主に構成されている。
【００２５】
液晶表示器２０は、配線基板Ｒに実装された発光ダイオードからなる光源２１と、この光源２１からの照明光を透過して表示光Ｌを形成するように光源２１の前方側（真上）に位置するＴＦＴ型の液晶表示素子（表示素子）２２とから主に構成される。このことは、液晶表示素子２２の背後（直下）に光源２１が配設され、液晶表示素子２２は、光源２１から発せられる光により、所定情報（後述する表示すべき情報）を表示することを意味している。かかる液晶表示器２０は、表示光Ｌの出射側の面が第１反射器３０の後述するコールドミラーに対向するようにしてハウジング５０内に設けられ、表示光Ｌの光軸が前記コールドミラーに交わるような位置や向きにて固定保持される。
【００２６】
また液晶表示素子２２は、図示しない素子駆動回路によって表示すべき情報（例えば車両の速度やエンジン回転数）を、数値等で発光表示する。液晶表示器２０は、可視波長域の光からなる表示光Ｌを出力するもので、例えば赤色光（主に発光波長域６１０〜６４０ｎｍ）を発する光源２１を適用することができる。なお、前記表示すべき情報は、車両の速度やエンジン回転数に限らず、あらゆる表示形態を採用できることは言うまでもない。
【００２７】
第１反射器３０は、コールドミラー３１と、このコールドミラー３１を所定の取付手段を用いて取付固定するための取付部材３２とを有している。コールドミラー３１は、略矩形状のガラス基板３１ａと、このガラス基板３１ａの片面（第２反射器４０の後述する凹面鏡と向かい合う面）に形成された第１の反射層３１ｂとからなるものである。かかる第１の反射層３１ｂは、膜厚が異なる多層の干渉膜からなるものであり、蒸着等の方法で形成されている。また、コールドミラー３１は、液晶表示器２０（液晶表示素子２２）が発した表示光Ｌを、第２反射器４０（前記凹面鏡）側へ反射させるような位置に傾斜状態にて配設される。
【００２８】
なお、コールドミラー３１は、液晶表示器２０の発光波長域を含む可視波長域（４５０〜７５０ｎｍ）の光を高い反射率（例えば８０％以上）で反射し、前記可視波長域以外の光を低い反射率で反射するものである。この場合、コールドミラー３１は、前記可視波長域以外の特に赤外波長域の光（赤外線あるいは太陽光の熱線）を低い反射率（例えば１５％以下）にて反射するものが適用される。なお、第１の反射層３１ｂにて反射されない光は、コールドミラー３１を透過するように構成される。また、取付部材３２は、例えば黒色の合成樹脂材料からなり、ハウジング５０に固定されてなる。
【００２９】
第２反射器４０は、コールドミラー３１（つまり表示素子２２）からの表示光Ｌを反射させる凹面鏡（反射部材）４１と、この凹面鏡４１を保持するミラーホルダ４２とを備えてなる。
【００３０】
凹面鏡４１は、凹面を有するポリカーボネートからなる樹脂基板に第２の反射層４１ａを蒸着形成してなるものである。かかる凹面鏡４１は、その第２の反射層４１ａがコールドミラー３１並びにハウジング５０の後述する透光性カバーに対向し、前記透光性カバーから臨める位置に傾斜状態にて配設される。
【００３１】
また凹面鏡４１は、コールドミラー３１からの表示光Ｌを拡大しつつ、前記透光性カバー（車両１０のフロントガラス１３）側へ反射（投射）させるものである。このことは、凹面鏡４１が、コールドミラー３１によって反射された表示光Ｌを拡大し、この拡大された表示光Ｌを前記透光性カバーを通じてフロントガラス１３に投射することを意味している。なお、凹面鏡４１は、ミラーホルダ４２に両面粘着テープにより接着されている。ミラーホルダ４２は、合成樹脂（例えばＡＢＳ樹脂）からなるものであり、ハウジング５０に固定されてなる。
【００３２】
ハウジング５０は、例えば黒色の遮光性合成樹脂材料からなり、略箱型形状に形成され、その内部空間である空間部５１に液晶表示器２０（液晶表示素子２２）や第１反射器３０、並びに第２反射器４０（凹面鏡４１）を保持して収納するものであり、第２反射器４０における凹面鏡４１の配設位置の上部（フロントガラス１３側）が開口する開口部５２を備えてなる。そして、凹面鏡４１によって反射された表示光Ｌは、開口部５２を通過することになる。
【００３３】
またハウジング５０には、ハウジング５０とは別部材（別体）にて形成された透光性カバー（透光部材）６０が開口部５２を塞ぐように配設されてなる。かかる透光性カバー６０は、透光性の合成樹脂材料（例えばアクリル樹脂）からなり、略湾曲形状（略曲面形状）に形成され、凹面鏡４１で反射された表示光Ｌが透過（通過）する光透過性部材としての機能を有している。つまり、コールドミラー３１並びに凹面鏡４１によって反射された表示光Ｌは、ハウジング５０（開口部５２）に配設された透光性カバー６０を通じてフロントガラス１３に投影され、これにより虚像Ｖの表示が運転者１４に対し行われることになる。
【００３４】
なお、本実施形態の場合、例えば太陽光等の外部からの光（つまり、外光）が、透光性カバー６０にあたって反射したときに、この反射光がフロントガラス１３を介して運転者１４側に反射されないような曲率を有するように透光性カバー６０の曲面形状が設定されてなるものとする。このことは、透光性カバー６０は、前記外光を受けた際に反射する前記反射光がフロントガラス１３を通じて運転者１４側に反射されないような曲面形状にて形成されることを意味してなる。
【００３５】
以上の各部により、表示ユニットである表示装置１２が構成されてなる。次に、図３〜図６を用いて透光性カバー６０をハウジング５０に固着するための固着構造について説明する。
【００３６】
図３は、図２中、矢印Ａ方向から見たときのハウジング５０の要部正面図、また図４は、図３のＢ−Ｂ断面図を示しており、これら図３、図４にて図示されたハウジング５０における前面壁５３は、略矩形状の開口窓部からなる前述した開口部５２と、この開口部５２を取り囲む略枠形状からなる前面壁部５４とを備えてなる。
【００３７】
前面壁部５４は、その下端側において、透光性カバー６０の周縁部６１全周を保持するように、開口部５２（つまり前面壁部５４の内壁面）から内方に向けて突出形成された鍔形状からなる保持部５５を備えてなる。このように前面壁部５４の下端側に透光性カバー６０の周縁部６１を保持するような保持部５５を一体形成したことで、前面壁部５４の下端側には、開口部５２の開口幅よりも幅狭となる幅狭開口部５６が設けられることになる。なお、透光性カバー６０が図３中、矢印Ｚ方向に沿い略湾曲形状となっていることに伴い、透光性カバー６０を保持する保持部５５も矢印Ｚ方向に沿い湾曲していることになる。
【００３８】
一方、ハウジング５０の前面壁５３と透光性カバー６０とは、両面テープ（接着部材）７０を介して固着される構成となっており、この固着状態にて、前面壁部５４の前面と透光性カバー６０の前面とが同一面となるように、開口部５２内に透光性カバー６０が配設される。
【００３９】
具体的には、図４に示すように透光性カバー６０の周縁部６１と、この周縁部６１を保持するようにハウジング５０の前面壁５３（前面壁部５４）に一体形成された保持部５５とが両面テープ７０を介し固着（固定）されることで、透光性カバー６０が開口部５２内に埋設されるように透光性カバー６０と前面壁部５４とが固着されるようになっている。
【００４０】
また、透光性カバー６０（周縁部６１）と前面壁部５４（保持部５５）とを両面テープ７０を介し固着するにあたっては、まず枠状に形成された保持部５５上に両面テープ７０を貼り付ける。このとき、両面テープ７０としては、２つに分割されたコの字形状からなる第１、第２の両面テープ（第１、第２の接着部）７１、７２を採用し、例えば第１の両面テープ７１が図５中、左方側となる保持部５５箇所に貼り付けられ、第２の両面テープ７２が、第１の両面テープ７１の非接着領域となる図５中、右方側となる保持部５５箇所に貼り付けられる。
【００４１】
そして、本実施形態においては、第１の両面テープ７１の端部（両端部）に略Ｖ字溝形状に切り欠き形成された窪み部７１ａを各々設けてなるとともに、第２の両面テープ７２の端部（両端部）に窪み部７１ａ側に突出する略山形形状からなる突出部７２ａを各々設けてなる。
【００４２】
また、各両面テープ７１、７２を保持部５５に沿って貼り付ける際に、両面テープ７１、７２は、何れもその一方側の剥離紙のみを剥がすことで現れる一方の接着面が保持部５５の表面に接着される。このとき、第１の両面テープ７１と第２の両面テープ７２とが隙間のないように、つまり窪み部７１ａと突出部７２ａとが隙間無く噛み合うように保持部５５上に各両面テープ７１、７２が貼り付けられているとする。なお、図５において、詳細図示は省略するが、各両面テープ７１、７２の最表面には前記一方の接着面とは反対側に位置する他方の接着面を保護すべく、他方側の剥離紙が存在している。
【００４３】
そして、ハウジング５０と透光性カバー６０との固着作業は、詳細図示は省略するが、各両面テープ７１、７２における前記他方側の剥離紙を剥がした状態の前記他方の接着面と透光性カバー６０の周縁部６１とが対向するように、前面壁５３と透光性カバー６０とを位置合わせし、この位置合わせ状態から、透光性カバー６０を前面壁５３側に平行移動させ、まず図３中、左側側端部に位置する透光性カバー６０（周縁部６１）箇所から前記固着作業を行う。
【００４４】
その後、この左側側端部における透光性カバー６０（周縁部６１）箇所を起点として、矢印Ｚ方向に沿って前記固着作業が実施されることで、作業者の手作業によるハウジング５０と透光性カバー６０との固着作業が完了する。
【００４５】
ところで、前記固着作業において、作業者の手（指圧）による応力が例えば第２の両面テープ７２に作用し、前記応力によって第２の両面テープ７２の突出部７２ａが僅かに矢印Ｚ方向に引っ張られ、図６に示すように窪み部７１ａと突出部７２ａとの間に第１の微小クリアランス８０が形成されたとする。かかる第１の微小クリアランス８０は、窪み部７１ａと突出部７２ａとの隙間で構成される非接着領域である略Ｖ字型の微小間隙部からなる。
【００４６】
一方、第１、第２の両面テープ７１、７２を用いて透光性カバー６０と前面壁５３とを固着するにあたって、透光性カバー６０の外周面６２が開口部５２を構成する前面壁部５４の前記内壁面とクリアランス無く当接するように、透光性カバー６０と前面壁５３とを固着する構成とするのが好ましいが、透光性カバー６０や前面壁５３における各部の寸法には寸法公差が存在するため、前記クリアランスを無くすことはできない。つまり、透光性カバー６０の外周面６２と前面壁部５４の前記内壁面（つまり開口部５２）との間には、第２の微少クリアランス９０（図３、図４参照）が必然的に生じることになる。
【００４７】
すると、車室内の空間（例えばインパネ１１付近）に存在している塵埃等が、第２の微少クリアランス９０を通り、その後、第２の微少クリアランス９０に連通する第１の微小クリアランス８０に至る際に、第１の微小クリアランス８０自体が窪み部７１ａと突出部７２ａとによる略Ｖ字型の微小間隙部にて構成されているから、塵埃等は第１の微小クリアランス８０内（例えば図６中、Ｖ字型の第１の微小クリアランス８０における略中央領域）にて滞留され易くなり、これにより空間部５１内への塵埃等の侵入が抑制される。従って、液晶表示素子２２や凹面鏡４１の表面に塵埃等が付着して、表示品位が低下するという問題は解消される。
【００４８】
以上のように本実施形態では、表示光Ｌを発する液晶表示素子２２と、表示光Ｌを反射させる凹面鏡４１と、液晶表示素子２２並びに凹面鏡４１を収納する空間部５１と凹面鏡４１によって反射された表示光Ｌが通過する開口部５２とを有するハウジング５０とを備え、開口部５２にはハウジング５０とは別体にて形成された透光性カバー６０が配設されてなるとともに、透光性カバー６０の周縁部６１とこの周縁部６１を保持するようにハウジング５０に一体形成された保持部５５とは第１の両面テープ７１と第２の両面テープ７２とに分割された両面テープ（接着部材）７０を介して固定されてなり、凹面鏡４１によって反射された表示光Ｌを透光性カバー６０を通じてフロントガラス１３に投影して運転者１４に対し表示を行うヘッドアップディスプレイ装置において、第１の両面テープ７１の端部に窪み部７１ａを設け、第２の両面テープ７２の端部に窪み部７１ａ側に突出する突出部７２ａを設けた構成となっている。
【００４９】
従って、塵埃等が第２の微少クリアランス９０を通って、その後、窪み部７１ａと突出部７２ａとで構成される略Ｖ字型の第１の微小クリアランス８０内に至った場合に、塵埃等を第１の微小クリアランス８０内にて滞留させることが可能となる。これにより空間部５１内への塵埃等の侵入を抑制するとともに空間部５１内に位置する液晶表示素子２２や凹面鏡４１の表面に塵埃等が付着するのを抑制することが可能なヘッドアップディスプレイ装置を提供することができる。
【００５０】
また本実施形態では、第１の両面テープ７１の端部に窪み部７１ａを設け、第２の両面テープ７２の端部に窪み部７１ａ側に突出する突出部７２ａを設けた例について説明したが、これとは逆に第１の両面テープ７１の端部に突起部を設け、第２の両面テープ７２の端部に窪み部を設けてもよい。
【００５１】
また本実施形態では、窪み部７１ａが略Ｖ字形状の溝部からなり、突出部７２ａが窪み部７１ａ内部に突出する略山形形状の突出部からなる例について説明したが、窪み部７１ａと突出部７２ａの形状は、空間部５１に塵埃等の侵入を抑制することが可能であればあらゆる形状を採用することができ、例えば窪み部７１ａを凹部とし、突出部７２ａを凹部形状からなる窪み部７１ａ内部に突出する凸部としてもよい。
【００５２】
なお本実施形態では、液晶表示素子２２から発せられる表示光Ｌが、フロントガラス１３に投射される例について説明したが、例えばフロントガラス１３に表示光Ｌを良好に運転者１４方向に反射させるコンバイナフィルムを設けてもよいし、あるいはフロントガラス１３とは別の専用の反射部材に表示光Ｌを投射する構成としてもよい。
【図面の簡単な説明】
【００５３】
【図１】本発明の実施形態によるヘッドアップディスプレイ装置の概略図。
【図２】同実施形態による表示装置の断面図。
【図３】図２中、矢印Ａ方向から見たときのハウジングと透光部材とを示す図。
【図４】図３のＢ−Ｂ断面図。
【図５】同実施形態によるハウジングに接着部材を貼り付けた状態のハウジングの要部正面図。
【図６】同実施形態によるハウジングと透光部材の固着作業後において、透光部材を取り除いた状態のハウジングの要部正面図。
【図７】従来技術によるハウジング及び透光部材の正面図。
【図８】図７のＸ−Ｘ断面図。
【図９】従来技術によるハウジングに接着部材を貼り付けた状態のハウジングの要部正面図。
【図１０】従来技術による透光部材がハウジングに固定される前の透光部材とハウジングとの位置関係を示す図。
【図１１】従来技術によるハウジングと透光部材の固着作業後において、透光部材を取り除いた状態のハウジングの要部正面図。
【符号の説明】
【００５４】
１３    フロントガラス（投影部材）
１４    運転者（観察者）
２２    液晶表示素子（表示素子）
４１    凹面鏡（反射部材）
５０    ハウジング
５１    空間部
５２    開口部
５３    前面壁
５４    前面壁部
５５    保持部
６０    透光性カバー（透光部材）
６１    周縁部
７０    両面テープ（接着部材）
７１    第１の両面テープ（第１の接着部）
７１ａ  窪み部
７２    第２の両面テープ（第２の接着部）
７２ａ  突出部
８０    第１の微小クリアランス
９０    第２の微小クリアランス
Ｌ    表示光
【図１】
2010105555.tif 000003
【図２】
2010105555.tif 000004
【図３】
2010105555.tif 000005
【図４】
2010105555.tif 000006
【図５】
2010105555.tif 000007
【図６】
2010105555.tif 000008
【図７】
2010105555.tif 000009
【図８】
2010105555.tif 000010
【図９】
2010105555.tif 000011
【図１０】
2010105555.tif 000012
【図１１】
2010105555.tif 000013